(57)【要約】      （修正有）【課題】断熱や結露の防止機能を保持した上で、良好なデザインを長期にわたって維持できる建具の提供。【解決手段】建具Ａは、枠１と、押縁２と、パネルＰと、コーナーカバー３とを備え、押縁２は、枠１に支持されたパネルＰの屋外側の見付面と対面するように枠１の屋外側に嵌合され、コーナーカバー３は、枠１のコーナー部の見付面に配されていると共に、竪押縁２ａのコーナー側端部および横押縁２ｂのコーナー側端部を覆っていることを特徴とする。【選択図】図１
2020197092.tif 000002
【特許請求の範囲】
【請求項１】
枠と、押縁と、パネルと、コーナーカバーとを備え、押縁は、枠に支持されたパネルの屋外側の見付面と対面するように枠の屋外側に嵌合され、コーナーカバーは、枠のコーナー部の見付面に配されていると共に、竪押縁のコーナー側端部および横押縁のコーナー側端部を覆っていることを特徴とする建具。
【請求項２】
框と、押縁と、パネルと、コーナーカバーとを備え、押縁は、框に支持されたパネルの屋外側の見付面と対面するように枠の屋外側に嵌合され、コーナーカバーは、框のコーナー部の見付面に配されていると共に、竪框側のコーナー側端部および横框側のコーナー側端部を覆っていることを特徴とする建具。
【発明の詳細な説明】
【技術分野】
【０００１】
本発明は、躯体の開口に設けられる各種窓やドア等の建具に関する。
【背景技術】
【０００２】
躯体の開口に設けられる建具は、ＦＩＸ窓、サッシ、ドアが知られている。このような建具は、断熱や結露の防止等の観点から、下記非特許文献１に記載されているように、樹脂製の枠又は框、押縁を用いたものが提案されている。
【先行技術文献】
【非特許文献】
【０００３】
【非特許文献１】三協立山株式会社のＷＥＢカタログ。[平成３１年４月１９日検索]、インターネット＜ＵＲＬ：http://apps.st-grp.co.jp/iportal/CatalogViewInterfaceStartUpAction.do?method=startUp&mode=PAGE&catalogCategoryId=&catalogId=12881340000&pageGroupId=1&volumeID=STAWC001&keyword=%E3%82%B9%E3%83%9E%E3%83%BC%E3%82%B8%E3%83%A5&categoryID=&sortKey=&sortOrder=&designID=WCAT001&designConfirmFlg=＞
【発明の概要】
【発明が解決しようとする課題】
【０００４】
樹脂製の枠又は框、押縁を用いた建具は、断熱や結露の防止について高い効果を有する一方、直射日光や外気温の上昇によって熱変形が生じ、この熱変形により外観デザインを損なう等の問題が生じていた。特に、押縁は、枠や框に比べて構造的に熱変形しやすく、この熱変形により、建具のコーナー部で突き合わされる押縁の端部同士の間に隙間やずれが発生するという問題が生じていた。このことから、断熱や結露の防止機能を保持した上で、直射日光や外気温による熱変形を抑制でき、良好なデザイン性を長期に保持できる建具が求められていた。
【課題を解決するための手段】
【０００５】
前述の課題を解決するために請求項１記載による建具は、枠と、押縁と、パネルと、コーナーカバーとを備え、押縁は、枠に支持されたパネルの屋外側の見付面と対面するように枠の屋外側に嵌合され、コーナーカバーは、枠のコーナー部の見付面に配されていると共に、竪押縁のコーナー側端部および横押縁のコーナー側端部を覆っていることを特徴とする。
【０００６】
また、請求項２記載による建具は、框と、押縁と、パネルと、コーナーカバーとを備え、押縁は、框に支持されたパネルの屋外側の見付面と対面するように枠の屋外側に嵌合され、コーナーカバーは、框のコーナー部の見付面に配されていると共に、竪框側のコーナー側端部および横框側のコーナー側端部を覆っていることを特徴とする。
【発明の効果】
【０００７】
本発明は、以上の構成により、断熱や結露の防止機能を保持した上で、良好なデザインを長期にわたって維持できる建具を提供できる。
【図面の簡単な説明】
【０００８】
【図１】本発明に係る実施形態の建具の正面図である。
【図２】図１の要部拡大図である。
【図３】図２の(３) -（３）線断面図である。
【図４】図２の要部切欠図である。
【図５】（ａ）〜（ｄ）は、コーナーカバーの形態を説明する斜視図である。
【図６】（ａ）〜（ｃ）は、コーナーカバーを用いた建具の構築工程における既存の押縁を取り外す工程を示す工程図である。
【図７】（ａ）〜（ｃ）は、コーナーカバーを用いた建具の構築工程における新たな押縁を取付ける工程を示す工程図である。
【図８】（ａ）は、コーナーカバーを用いた建具の構築工程コーナーカバーの取付け作業工程を示す工程図であり、（ｂ）は、コーナーカバーの取付け後の状態を示す正面図である。
【図９】第１の変形例のコーナーカバーを実施した建具の要部拡大正面図である。
【図１０】図９の(１０) -（１０）線断面図である。
【図１１】図９の要部切欠図である。
【図１２】第１の変形例のコーナーカバーの形態を説明する図であり、（ａ）は側面図、（ｂ）は背面図、（ｃ）は斜視図である。
【図１３】（ａ）〜（ｃ）は、第１の変形例のコーナーカバーを用いた建具の構築工程における新たな押縁を取付ける工程を示す工程図である。
【図１４】（ａ）は、第１の変形例のコーナーカバーを用いた建具の構築工程におけるコーナーカバーの取付け作業工程を示す工程図であり、（ｂ）は、コーナーカバーの取付け後の状態を示す正面図である。
【図１５】第２の変形例のコーナーカバーを実施した建具の要部拡大正面図である。
【図１６】図１５の（１６）-（１６）線断面図である。
【図１７】図１５の要部切欠図である。
【図１８】第２の変形例のコーナーカバーの形態を説明する図であり、（ａ）は正面図、（ｂ）は側面図、（ｃ）は斜視図である。
【図１９】（ａ）は、第２の変形例のコーナーカバーを用いた建具の構築工程におけるコーナーカバーの取付け作業工程を示す工程図であり、（ｂ）は、コーナーカバーの取付け後の状態を示す正面図である。
【図２０】図１９（ｂ）の要部拡大図である。
【図２１】図２０の（２１）-（２１）線断面図である。
【図２２】（ａ）〜（ｄ）は、第２の変形例のコーナーカバーを用いた建具の構築工程における新たな押縁を取付ける工程を示す工程図である。
【図２３】第３の変形例のコーナーカバーを実施した建具の要部拡大正面図である。
【図２４】図２３の（２４）-（２４）線断面図である。
【図２５】図２３の要部切欠図である。
【図２６】第３の変形例のコーナーカバーの形態を説明する図であり、（ａ）は正面図、（ｂ）は側面図である。
【図２７】第１の変形例のコーナーカバーを先付けする構成を示す図であり、（ａ）は、第１の変形例のコーナーカバーを取付ける工程図であり、（ｂ）は第１の変形例のコーナーカバーが取付けられた状態を示す。
【図２８】建具の変形例を示す要部拡大正面図である。
【図２９】図２８の（２９）-（２９）線断面図である。
【発明を実施するための形態】
【０００９】
以下、図面を参照して本発明に係る実施形態の建具Ａを説明する。以下の説明で、異なる図における同一符号は同一機能の部位を示しており、各図における重複説明は適宜省略する。本発明でいう「枠」とは、躯体の開口に対して直接固定される部材を意味する。
【００１０】
この「枠」を用いた建具として、例えば、ＦＩＸ窓やサッシ、更にはドア等が挙げられる。また、「框」とは、サッシのように「枠」に対して開閉自在に配される障子を構成する部材を意味する。
【００１１】
本明細書では、建具について「枠」を用いたＦＩＸ窓として説明するが、「枠」を用いた建具と「框」を用いた障子等の建具とは、「枠（竪枠、横枠）」と「押縁（竪押縁、横押縁）」とで「パネル」を支持する構造および「框（竪框、横框）」と「押縁（竪押縁、横押縁）」とで「パネル」を支持する構造という、基本的な構造について共通するものであるので、「框」を用いた建具の説明については省略する。  
【００１２】
［建具の構成］
本実施形態で示す建具Ａは、図１〜図３に示すように躯体Ｂの開口Ｂ１に設けられるＦＩＸ窓であり、ガラス製のパネルＰの見付面Ｐ１、Ｐ３を、樹脂製の枠１および押縁２で囲むように支持したものである。建具Ａは、屋外側に押縁２を装着した外押縁タイプのものであり、この押縁２をコーナー部Ａ１で覆う金属製のコーナーカバー３が取付けられている。
【００１３】
［枠の構成］
枠１は、図１〜図４に示すように、パネルＰの左右を支持する竪枠１ａと、パネルＰの上下を支持する横枠１ｂとを連結して構成されており、屋外側に水切り部１ｃを有すると共に、屋外側から嵌め込まれるパネルＰの屋内側の見付面Ｐ１を、ビード１００を介して支持する支持面部１ｄと、パネルＰの見込面Ｐ２を、セッティングブロック１０１を介して支持する支持縁部１ｅを備えている。竪枠１ａと横枠１ｂとは、同じ構成として形成されたものであり、それぞれに、水切り部１ｃおよび支持面部１ｄ並びに支持縁部１ｅを有し、両端がコーナー部Ａ１において留切り形状として突き合わさるように斜めに切断して形成されている。
【００１４】
［押縁の構成］
押縁２は、図１〜図４に示すように、可撓性を有する樹脂材を用いて、同じ断面構造として形成された竪押縁２ａと横押縁２ｂとで構成されており、竪押縁２ａを竪枠１ａに嵌め込むと共に、横押縁２ｂを横枠１ｂに嵌め込むことで、パネルＰの屋外側の見付面Ｐ３を支持するように装着されている。
【００１５】
竪押縁２ａと横押縁２ｂは、図２および図３に示すように、竪枠１ａおよび横枠１ｂに形成された嵌合凹部１ｆに嵌合される嵌合凸部２ｃを備えていると共に、パネルＰの屋外側の見付面Ｐ３に密着するように設けられたヒレ部２ｄを備えている。また、竪押縁２ａおよび横押縁２ｂは、左右のコーナー側端部２０ａ、２０ｂを直角に切断して形成されている。また、竪押縁２ａおよび横押縁２ｂを枠１に取付けたときに、コーナー部Ａ１における竪押縁２ａのコーナー側端部２０ａと横押縁２ｂのコーナー側端部２０ｂとの間に、コーナーカバー３が嵌合される嵌合空間Ａ１０を確保できる長さとして形成されている。
【００１６】
嵌合空間Ａ１０は、図４に示すように、押縁２の見付面２０側が開放されており、この見付面２０側から見込方向にコーナーカバー３を嵌合できるようにされている。ヒレ部２ｄは、図３に示すように、竪押縁２ａおよび横押縁２ｂよりも軟質な樹脂材を用いて形成されており、見付面Ｐ３に接触したときに弾性変形し、変形から復帰するときの反発力が作用することによって、見付面Ｐ３への密着力を高めるようにされている。
【００１７】
[コーナーカバーの構成]
コーナーカバー３は、図５に示すように、覆い板３ａと、支持部３ｂと、弾性体３ｃとを一体に備えて形成されている。覆い板３ａは、図１および図２に示すように、嵌合空間Ａ１０を塞ぐように覆うと共に、竪押縁２ａのコーナー側端部２０ａと横押縁２ｂのコーナー側端部２０ｂを見付面２０側から覆うことができる形状として形成されている。コーナーカバー３の取付け状態では、図２および図３に示すように、覆い板３ａと枠１の見付面１０および押縁２の見付面２０との間に、防水用のシール材１０２が充填されている。
【００１８】
支持部３ｂは、図２〜図５に示すように、竪枠１ａと横枠１ｂの支持縁部１ｅに接触して支持される接触部３０ｂと接触部３１ｂとを有してＬ型状に形成されていると共に、見込方向に突設されており、嵌合空間Ａ１０内において支持縁部１ｅとパネルＰの見込面Ｐ２の間に位置するようにされている。また、接触部３０ｂと接触部３１ｂには、コーナー部Ａ１において枠１の嵌合凹部１ｆに嵌合する嵌合突起３０が形成されている。
【００１９】
弾性体３ｃは、図２〜図５に示すように、竪枠１ａ側の接触部３０ｂの先端に設けられた板バネ３０ｃと、横枠１ｂ側の接触部３１ｂの先端に設けられた板バネ３１ｃとから構成されている。板バネ３０ｃおよび板バネ３１ｃは、一端側が接触部３０ｂおよび接触部３１ｂの先端側に固定された片持ち構造のものであり、パネルＰの見込面Ｐ２と対向して接触すると共に、見込面Ｐ２に対して押し付ける方向へ付勢力が作用するようにされている。
【００２０】
弾性体３ｃは、板バネ構造に限らず、スポンジ材やゴム材等の弾性を有する樹脂を用いて構成してもよい。これは、後述する各変形例のコーナーカバー３における弾性体３ｃにも適用できる。
【００２１】
枠１に対するコーナーカバー３の取付け状態では、図１および図２に示すように、覆い板３ａが、嵌合空間Ａ１０を覆うと共に、竪押縁２ａと横押縁２ｂのコーナー側端部２０ａ、２０ｂを覆い、これにより、コーナー部Ａ１において嵌合空間Ａ１０およびコーナー側端部２０ａ、２０ｂを隠すことができる。
【００２２】
また、支持部３ｂが押し込まれたときには、図２および図３に示すように、嵌合突起３０が嵌合凹部１ｆに嵌合し、しかも、板バネ３０ｃおよび板バネ３１ｃが、付勢力によってパネルＰの見込面Ｐ２に対して押し付られると共に、この付勢力の反力が接触部３０ｂおよび接触部３１ｂを、それぞれ対応する支持縁部１ｅに押し付ける力として作用することになる。すなわち、嵌合凹部１ｆに対する嵌合突起３０の嵌合と、板バネ３０ｃおよび板バネ３１ｃの付勢力および付勢力の反力とによって、支持部３ｂの嵌合状態を保持することができるため、ビス等の固着手段を用いることなくコーナーカバー３を取付けることができる。
【００２３】
したがって、竪押縁２ａと横押縁２ｂが熱変形してコーナー側端部２０ａ、２０ｂが位置ずれしても、この位置ずれをコーナーカバー３の覆い板３ａで隠すことができるため、建具Ａのデザイン性を損ねることを防止し、これによって、良好なデザインを長期にわたって維持できる建具Ａを構築することができる。
【００２４】
[コーナーカバーを用いた建具の構築工程]
次に、本実施形態のコーナーカバー３を用いた建具Ａの構築工程を図６〜図８を参照して説明する。本構築工程では、建具Ａの補修（押縁の交換）時に行われる工程として説明するが、本構築工程は、建具Ａの補修時に限らず、新規な建具Ａの構築時にも行うことができるものである。
【００２５】
１．既存の押縁を取り外す工程（図６参照）：最初に、図６（ａ）に示すように、枠１に取付けられている既存の押縁３００における竪押縁２００および横押縁２０１を、図６（ｂ）に示すようにすべて取外し、図６（ｃ）に示すように、枠１にパネルＰのみが残った状態とする。既存の押縁３００の竪押縁２００および横押縁２０１は、図６（ａ）に示すように、竪押縁２００および横押縁２０１のコーナー側端部２００ａ、２０１ａが留切り形状となるように斜めに切断されていると共に、コーナー部Ａ１において両端部が接触するように突き合わさることで留切り構造の押縁３００を構成している。なお、本工程は、後述する各変形例のコーナーカバー３を用いた建具の構築工程における既存の竪押縁２００および横押縁２０１を取り外す工程と共通するものである。
【００２６】
２．新たな押縁の装着工程（図７参照）：次に、図７（ａ）〜（ｃ）に示すように、枠１に対して本実施形態における新たな竪押縁２ａおよび横押縁２ｂを装着する。竪押縁２ａおよび横押縁２ｂは、図７（ｃ）に示すように、それぞれのコーナー側端部２０ａ、２０ｂが直角に切断されたものである。この竪押縁２ａおよび横押縁２ｂが竪枠１ａおよび横枠１ｂに装着されると、図７（ｃ）に示すように、コーナー部Ａ１に正面四角形状の嵌合空間Ａ１０が形成される。竪押縁２ａおよび横押縁２ｂを装着するときには、嵌合空間Ａ１０が、取付けられるコーナーカバー３の覆い板３ａから竪押縁２ａのコーナー側端部２０ａおよび横押縁２ｂのコーナー側端部２０ｂが露出せず、かつコーナーカバー３の支持部３ｂおよび弾性体３ｃが見込方向に沿って押し込める形状となるように、竪押縁２ａおよび横押縁２ｂの装着位置を調節する。
【００２７】
３．コーナーカバー３を取付ける工程（図８参照）：最後に、枠１に対して本実施形態におけるコーナーカバー３を取付ける。具体的には、図８（ａ）に示すように、支持部３ｂを、接触部３０ｂが竪枠１ａ側の支持縁部１ｅと対面すると共に、接触部３１ｂを横枠１ｂ側の支持縁部１ｅと対面するように位置させて、見込方向に沿って嵌合空間Ａ１０に押し込むことで取付けられる。これを、すべてのコーナー部Ａ１における嵌合空間Ａ１０に対して行うと共に、前述したようにシール材１０２を充填（図２および図３参照）することで、図８（ｂ）に示すように建具Ａの補修を行うことができると共に、良好なデザインを長期にわたって維持できる建具Ａを構築することができる。
【００２８】
［コーナーカバーの第１の変形例］
次に、コーナーカバー３の第１の変形例について、図９〜図１２を参照して説明する。本変形例のコーナーカバー３は、図９および図１１に示すように、留切り形状の竪押縁２ａおよび横押縁２ｂが装着された枠１に取付けるようにしたものである。
【００２９】
竪押縁２ａおよび横押縁２ｂは、図９および図１１に示すように、竪押縁２ａおよび横押縁２ｂのコーナー側端部２０ａ、２０ｂが、コーナー部Ａ１において留切り形状となるように斜めに切断されていると共に、竪押縁２ａのコーナー側端部２０ａと横押縁２ｂのコーナー側端部２０ｂとの間に留切り形状の開口を有する嵌合空間Ａ１０を確保できるように形成されたものである。
【００３０】
嵌合空間Ａ１０は、竪押縁２ａおよび横押縁２ｂの熱変形を吸収すると共に、コーナーカバー３を嵌合するものであり、図１０に示すように、嵌合されたコーナーカバー３によって塞がれる。コーナーカバー３の取付け状態では、図９および図１０に示すように、覆い板３ａと枠１の見付面１０および押縁２の見付面２０との間に、防水用のシール材１０２が充填されている。
【００３１】
コーナーカバー３は、図１２(ａ)〜(ｃ)に示すように、覆い板３ａと、コーナー接触板３ｄと、弾性体３ｃとを一体に備えて形成されている。覆い板３ａは、図９に示すように、コーナー側端部２０ａとコーナー側端部２０ｂの傾斜に沿って、コーナー側端部２０ａおよびコーナー側端部２０ｂを見付面２０側から覆うことができると共に、嵌合空間Ａ１０を塞ぐように覆うことができる形状として形成されている。
【００３２】
コーナー接触板３ｄは、図９および図１１に示すように、覆い板３ａの長手方向（嵌合空間Ａ１０の傾斜方向）に沿うと共に、嵌合空間Ａ１０の幅よりも狭い幅として形成されていると共に、枠１のコーナー部１０ｅと対向する部位に係合する。コーナー接触板３ｄは、嵌合時において、竪枠１ａの支持縁部１ｅからコーナー部１０ｅを経て横枠１ｂの支持縁部１ｅに沿って接触して係合する角形状に形成されている。
【００３３】
弾性体３ｃは、図１０および図１１に示すように、一端側がコーナー接触板３ｄに固定されて見込方向に突設された片持ち構造の板バネであり、コーナーカバー３の取付け状態において、弾性体３ｃがパネルＰのコーナー部Ｐ４と対向して接触すると共に、コーナー部Ｐ４に対して押し付ける方向へ付勢力が作用するようにされている。
【００３４】
枠１に対するコーナーカバー３の取付け状態では、図９および図１１に示すように、覆い板３ａが、嵌合空間Ａ１０を覆うと共に、竪押縁２ａと横押縁２ｂのコーナー側端部２０ａ、２０ｂを覆い、これにより、コーナー部Ａ１において嵌合空間Ａ１０およびコーナー側端部２０ａ、２０ｂを隠すことができる。
【００３５】
また、コーナー接触板３ｄおよび弾性体３ｃが押し込まれたときには、図１１に示すように、弾性体３ｃが付勢力によってパネルＰのコーナー部Ｐ４に対して押し付けられると共に、この付勢力の反力がコーナー接触板３ｄを支持縁部１ｅおよびコーナー部１０ｅに押し付ける力として作用することになる。すなわち、弾性体３ｃの付勢力および付勢力の反力によって、コーナー接触板３ｄの嵌合状態を保持することができるため、ビス等の固着手段を用いることなくコーナーカバー３を取付けることができる。
【００３６】
したがって、第１の変形例のコーナーカバー３によって、留切り形状の竪押縁２ａと横押縁２ｂが熱変形してコーナー側端部２０ａ、２０ｂが位置ずれしても、この位置ずれをコーナーカバー３の覆い板３ａで隠すことができるため、建具Ａのデザイン性を損ねることを防止し、これによって、良好なデザインを長期にわたって維持できる建具Ａを構築することができる。
【００３７】
[第１の変形例のコーナーカバーを用いた建具の構築工程]
次に、第１の変形例のコーナーカバー３を用いた建具Ａの構築工程を図１３および図１４を参照して説明する。本取付け工程では、建具Ａの補修時に行われる工程として説明するが、本取付け工程は、建具Ａの補修時に限らず、新規な建具Ａの構築時にも行うことができるものである。
【００３８】
１．新たな押縁の装着工程（図１３参照）：図６に示すように既存の竪押縁２００および横押縁２０１をすべて取外した状態で、枠１に対して新たな竪押縁２ａおよび横押縁２ｂを装着する。竪押縁２ａおよび横押縁２ｂは、図１３（ａ）〜（ｃ）に示すように、それぞれのコーナー側端部２０ａ、２０ｂが留切り形状となるように斜めに切断したものである。この竪押縁２ａおよび横押縁２ｂが竪枠１ａおよび横枠１ｂに装着されると、図１３（ｃ）に示すように、コーナー部Ａ１においてコーナー側端部２０ａ、２０ｂが離間した状態で対向することで、コーナー部Ａ１に正面留切り形状の嵌合空間Ａ１０が形成される。竪押縁２ａおよび横押縁２ｂを装着するときには、竪押縁２ａおよび横押縁２ｂの装着後において形成される嵌合空間Ａ１０の開口の形状が、コーナーカバー３の覆い板３ａからはみ出さず、かつコーナーカバー３のコーナー接触板３ｄおよび弾性体３ｃが見込方向に沿って押し込める形状となるように、竪押縁２ａおよび横押縁２ｂの装着位置を設定する。
【００３９】
２．コーナーカバー３を取付ける工程（図１４参照）：最後に、枠１に対して本変形例におけるコーナーカバー３を取付ける。具体的には、図１４（ａ）に示すように、覆い板３ａを嵌合空間Ａ１０の開口の傾斜に沿うように嵌合空間Ａ１０に対面させた状態で、コーナー接触板３ｄおよび弾性体３ｃを見込方向に沿って嵌合空間Ａ１０に押し込むことで取付けられる。これを、すべてのコーナー部Ａ１における嵌合空間Ａ１０に対して行うと共に、前述したようにシール材１０２を充填（図９および図１０参照）することで、図１４（ｂ）に示すように建具Ａの補修を行うことができると共に、良好なデザインを長期にわたって維持できる建具Ａを構築することができる。
【００４０】
[コーナーカバーの第２の変形例]
次に、コーナーカバー３の第２の変形例について、図１５〜図１８を参照して説明する。前述の第１の変形例におけるコーナーカバー３は、押縁２の装着後に枠１に取付ける後付けタイプのものであるのに対して、第２の変形例におけるコーナーカバー３は、押縁２の装着前に枠１に取付ける先付けタイプのものである。本変形例のコーナーカバー３が実施される建具Ａにおける枠１および押縁２は、第１の変形例で例示した枠１および押縁２の構成と同じである。
【００４１】
コーナーカバー３は、図１８（ａ）〜（ｃ）に示すように、覆い板３ａと、弾性体３ｃと、コーナー接触板３ｄとを一体に備えて形成されている。覆い板３ａおよびコーナー接触板３ｄは、前述の第１の変形例のコーナーカバー３における覆い板３ａおよびコーナー接触板３ｄと同じ構成のものである。
【００４２】
弾性体３ｃは、図１５、図１６、図１８（ａ）〜（ｃ）に示すように、コーナー接触板３ｄの一方側から枠１の支持縁部１ｅに沿って延設された支持板３２ｃに設けられた片持ち構造の板バネである。弾性体３ｃおよび支持板３２ｃは、コーナーカバー３の取付時において、支持縁部１ｅとパネルＰの見込面Ｐ２との間に介在され、弾性体３ｃがパネルＰの見込面Ｐ２と対向して接触すると共に、見込面Ｐ２に対して押し付ける方向へ付勢力が作用するようにされている。
【００４３】
このコーナーカバー３は、図１８（ｃ）において上下方向で対称形となるものが用いられており、図１８（ｃ）において左側のコーナー部Ａ１に取付けられるコーナーカバー３においては、弾性体３ｃがパネルの見込面Ｐ２を上下方向から挟むように配置され、コーナー部Ａ１に取付けられるコーナーカバー３においては、弾性体３ｃがパネルの見込面Ｐ２に対して左方向から押し付けるように配置されている。このコーナーカバー３の配置関係等は、図示例に限らない。
【００４４】
枠１に対するコーナーカバー３の取付け状態では、図１５に示すように、覆い板３ａが、嵌合空間Ａ１０を覆うと共に、竪押縁２ａと横押縁２ｂのコーナー側端部２０ａ、２０ｂを覆い、これにより、コーナー部Ａ１において嵌合空間Ａ１０およびコーナー側端部２０ａ、２０ｂを隠すことができる。
【００４５】
コーナー接触板３ｄおよび弾性体３が押し込まれたときには、図１５〜図１７に示すように、弾性体３ｃが付勢力によってパネルＰの見込面Ｐ２に対して押し付られると共に、この付勢力の反力がコーナー接触板３ｄを支持縁部１ｅに押し付ける力として作用することになる。すなわち、弾性体３ｃの付勢力および付勢力の反力によって、コーナー接触板３ｄの嵌合状態を保持することができるため、ビス等の固着手段を用いることなくコーナーカバー３を取付けることができる。
【００４６】
したがって、第２の変形例のコーナーカバー３によっても、第１の変形例のコーナーカバー３と同様に、留切り形状の竪押縁２ａと横押縁２ｂが熱変形してコーナー側端部２０ａ、２０ｂが位置ずれしても、この位置ずれをコーナーカバー３の覆い板３ａで隠すことができるため、建具Ａのデザイン性を損ねることを防止し、これによって、良好なデザインを長期にわたって維持できる建具Ａを構築することができる。
【００４７】
[第２の変形例のコーナーカバーを用いた建具の構築工程]
次に、第２の変形例のコーナーカバー３を用いた建具Ａの構築工程を図１９〜図２２を参照して説明する。本取付け工程では、建具Ａの補修時に行われる工程として説明するが、本取付け工程は、建具Ａの補修時に限らず、新規な建具Ａの構築時にも行うことができるものである。
【００４８】
１．コーナーカバー３を取付ける工程（図１９〜図２１参照）：図６に示すように既存の竪押縁２００および横押縁２０１をすべて取外した状態で、枠１に対して本変形例におけるコーナーカバー３を取付ける。具体的には、図１９（ａ）に示すように、覆い板３ａをコーナー部Ａ１に対して留切り形状による傾斜に沿うように対面させた状態で、弾性体３ｃおよびコーナー接触板３ｄ並びに支持板３２ｃを見込方向に沿って押し込む。これを、すべてのコーナー部Ａ１において行って、枠１の四角にコーナーカバー３を取付ける（図１９（ｂ）参照）。
【００４９】
弾性体３ｃおよびコーナー接触板３ｄ並びに支持板３２ｃが押し込まれると、図２０および図２１に示すように弾性体３ｃと支持板３２ｃとが、パネルＰの見込面Ｐ２と枠１の支持縁部１ｅとの間に弾性体３ｃの反発力が作用した状態で嵌合されているため、コーナーカバー３の取付け状態が保持される。
【００５０】
コーナーカバー３が枠１に取付けられた状態では、図２１に示すように、コーナーカバー３とパネルＰの見付面Ｐ１との間に、竪押縁２ａおよび横押縁２ｂの取付け時において、コーナー側端部２０ａおよびコーナー側端部２０ｂを挿し込む挿込み空間Ｓ１が形成される。挿込み空間Ｓ１は、図２０および図２１に示すように、枠１の各コーナー部Ａ１において、竪押縁２ａ側の挿込み空間Ｓ１は上下方向に開口され、横押縁２ｂ側の挿込み空間Ｓ１は左右方向に開口されている。
【００５１】
２．新たな押縁を取付ける工程（図２２参照）：最後に、枠１に対して本変形例における新たな押縁２を装着する。図示例においては、枠１の下側の横枠１ｂに横押縁２ｂを装着する工程を説明し、残りの竪押縁２ａおよび横押縁２ｂの装着工程についての説明は省略する。
【００５２】
まず、図２２（ａ）に示すように、左側のコーナーカバー３の挿込み空間Ｓ１に、横押縁２ｂの左側のコーナー側端部２０ｂを挿込むと共に、樹脂製のハンマーＨ等を用いて横押縁２ｂの見込面２１を叩きながら、横押縁２ｂの嵌合凸部２ｃの左側の一部を嵌合凹部１ｆに嵌合する。
【００５３】
次に、図２２（ｂ）に示すように、右側のコーナーカバー３の挿込み空間Ｓ１に、横押縁２ｂを撓らせながら、横押縁２ｂの右側のコーナー側端部２０ｂを挿込む。
【００５４】
次に、図２２（ｃ）に示すように、ハンマーＨ等を用いて横押縁２ｂの見込面２１を左右方向から中央に向かって、左右順番に少しずつ叩きながら、横押縁２ｂの嵌合凸部２ｃを嵌合凹部１ｆに嵌合する。
【００５５】
最後に、図２２（ｄ）に示すように、ハンマーＨ等を用いて横押縁２ｂの見込面２１の中央部分を少しずつ叩きながら、横押縁２ｂの嵌合凸部２ｃを嵌合凹部１ｆに嵌合することで、横押縁２ｂを横枠１ｂに装着することができる。残りの竪押縁２ａおよび横押縁２ｂについても、図２２（ａ）〜（ｄ）の工程により装着することができる。
【００５６】
[コーナーカバーの第３の変形例]
次に、コーナーカバー３の第３の変形例について、図２３〜図２６を参照して説明する。本変形例のコーナーカバー３も、第２の変形例のコーナーカバー３と同様に、押縁２の装着前に枠１に取付ける先付けタイプのものである。本変形例のコーナーカバー３が実施される建具Ａにおける枠１および押縁２は、第１の変形例および第２の変形例のコーナーカバー３を実施した枠１および押縁２の構成と同じである。
【００５７】
コーナーカバー３は、図２６に示すように、覆い板３ａと支持体３ｅとを一体に備えて形成されている。覆い板３ａは、前述の第１の変形例および第２の変形例のコーナーカバー３の覆い板３ａと同じ構成のものである。
【００５８】
支持体３ｅは、図２３〜図２５に示すように、竪枠１ａと横枠１ｂの支持縁部１ｅに接触して支持される接触部３０ｅと接触部３１ｅとを有してＬ型状に形成されていると共に、見込方向に突設されており、嵌合空間Ａ１０内において支持縁部１ｅとパネルＰの見込面Ｐ２の間に介在するようにされている。支持体３ｅは、セッティングブロック１０１と同じ幅にされており、支持縁部１ｅとパネルＰの見込面Ｐ２の間に圧入状に嵌合するようにされている。これにより、枠１に対するコーナーカバー３の取付け状態を保持することができる。
【００５９】
第３の変形例のコーナーカバー３は、前述の「第２の変形例のコーナーカバーを用いた建具Ａの構築工程」における「１．コーナーカバーの取付け工程」と同じ取付け工程により取付けることができると共に、「２．新たな押縁を取付ける工程」と同じ装着工程により押縁２を装着することができる。
【００６０】
[第１の変形例のコーナーカバーを先付けする構成]
コーナーカバー３を先付けする構成では、第１の変形例のコーナーカバー３によっても実施することができる。具体的には、図２７（ａ）（ｂ）に示すように、押縁２の装着前に、弾性体３ｃがパネルＰのコーナー部Ｐ４と対向して接触するように、コーナーカバー３を枠１に押し込んで取付ける。このとき、弾性体３が付勢力によってパネルＰのコーナー部Ｐ４に対して押し付けられると共に、この付勢力の反力がコーナー接触板３ｄを支持縁部１ｅおよびコーナー部１０ｅに押し付ける力として作用することになる。すなわち、弾性体３ｃの付勢力および付勢力の反力によって、コーナー接触板３ｄの嵌合状態を保持することができるため、ビス等の固着手段を用いることなくコーナーカバー３を取付けることができる。そして、第１の変形例のコーナーカバー３を先付けした後に、前述の第２の変形例のコーナーカバーを用いた建具Ａの構築工程における新たな押縁を取付ける工程と同じように押縁２を装着することで、建具Ａを構築することができる。
【００６１】
[建具の変形例]  
次に、建具Ａの変形例について図２８および図２９を参照して説明する。本変形例の建具Ａは、図１に示す建具Ａにおける押縁２の見付面２０にカバー材４を備えたものである。カバー材４は、押縁２の竪押縁２ａに配される竪カバー材４ａおよび横押縁２ｂに配される横カバー材４ｂとで構成されている。
【００６２】
竪カバー材４ａおよび横カバー材４ｂは、軽量、且つ錆びにくいアルミニウム材を用いて、竪押縁２ａおよび横押縁２ｂの屋外側の見付面２０の全域およびパネルＰ側の見込面２１の全域にわたる範囲、並びに横枠１ｂの見付面１０の中途に至る範囲を覆う同じ断面Ｌ型に形成されている。このような、竪カバー材４ａおよび横カバー材４ｂは、それぞれ対応する竪押縁２ａおよび横押縁２ｂの見付面２０と正対させて、この見付面２０に対して複数のビス２ｅによって固定されている。竪カバー材４ａおよび横カバー材４ｂのコーナー側端部４０ａ、４０ｂは、竪押縁２ａおよび横押縁２ｂのコーナー側端部２０ａ、２０ｂとともに、コーナーカバー３によって覆われている。
【００６３】
すなわち、アルミニウム製のカバー材４で押縁２の見付面２０の全域および見込面２１の全域を覆っているので、熱変形しようとする押縁２をカバー材４で抑えることによって、押縁２の熱変形を抑制することができる。更に、カバー材４が高い放熱性を有するアルミニウム製であるので、その放熱性による押縁２自体の温度上昇を抑制することができ、これによって押縁２の熱変形を抑制することができる。しかも、コーナーカバー３とカバー材４とを用いることによって、押縁２全体の外観品質を向上させることができる。
【００６４】
したがって、本変形例による建具Ａは、断熱や結露の防止機能を保持した上で、直射日光や外気温によって熱変形しやすい押縁２の熱変形を抑制できる。そして、押縁２の熱変形を抑制することによって、建具Ａの構造的な不具合を防止することができると共に、良好なデザインを長期にわたって維持できる。カバー材４については、第１の変形例〜第３の変形例のコーナーカバー３を用いた建具Ａにも適用が可能である（図示せず）。
【００６５】
前述のように後付けタイプおよび先付タイプのコーナーカバー３の構成および取付け工程を説明したが、これら各タイプのコーナーカバー３については、それぞれ下記の特有の作用効果が期待できる。
【００６６】
後付けタイプのコーナーカバー３の場合、コーナーカバー３の取付け前に押縁２を装着することで嵌合空間Ａ１０を形成していることから、コーナーカバー３の取付け位置をわかりやすくでき、これによって、コーナーカバー３の取付け作業の容易性および確実性を向上させることができる。
【００６７】
先付タイプのコーナーカバー３の場合、コーナーカバー３の取付け後に押縁２を装着するため、コーナーカバー３が竪押縁２ａおよび横押縁２ｂの装着時における目印となり、これによって、竪押縁２ａおよび横押縁２ｂを正確な位置への装着が容易にできる。また、押縁２の装着前にコーナーカバー３を取付けるため、装着される押縁２の形状に係わらず、弾性体３あるいは支持体３ｅの形状や位置を設定することができると共に、枠１やパネルＰに対する弾性体３あるいは支持体３ｅの接触面積を大きくすることができる。したがって、コーナーカバー３の設計自由度を高めることができると共に、取付けた状態のコーナーカバー３の姿勢を安定よく保持することができる。
【００６８】
以上、本発明に係る実施形態の建具について図面を参照して詳述してきたが、具体的な構成は、これらの実施の形態に限られるものではなく、本発明の要旨を逸脱しない範囲の設計の変更等があっても本発明に含まれる。
【００６９】
また、前述の各実施形態は、その目的および構成等に特に矛盾や問題がない限り、互いの技術を流用して組み合わせることが可能である。
【符号の説明】
【００７０】
Ａ：建具
Ａ１：コーナー部
Ａ１０：嵌合空間
Ｂ：躯体
Ｂ１：開口
Ｐ：パネル
Ｐ１：見付面
Ｐ２：見込面
Ｐ３：見付面
Ｐ４：コーナー部
Ｓ：隙間
Ｓ１：挿込み空間
１：枠
１ａ：竪枠
１ｂ：横枠
１ｃ：水切り部
１ｄ：支持面部
１ｅ：支持縁部
１ｆ：嵌合凹部
１０ｅ：コーナー部
１００：ビード
１０１：セッティングブロック
２：押縁
２ｃ：嵌合凸部
２ｄ：ヒレ部
２０ａ：コーナー側端部
２０ｂ：コーナー側端部
２０：見付面
２１：見込面
３：コーナーカバー
３ａ：覆い板
３ｂ：支持部
３ｃ：弾性体
３０ｂ：接触部
３１ｂ：接触部
３０ｃ：板バネ
３１ｃ：板バネ
３ｄ：コーナー接触板
３ｅ：支持体
３０ｅ：接触部
３１ｅ：接触部
３０：嵌合突起
４：カバー材
４ａ：竪カバー材
４ｂ：横カバー材
４０ａ：コーナー側端部
４０ｂ：コーナー側端部
Ｈ：ハンマー
【図１】
2020197092.tif 000003
【図２】
2020197092.tif 000004
【図３】
2020197092.tif 000005
【図４】
2020197092.tif 000006
【図５】
2020197092.tif 000007
【図６】
2020197092.tif 000008
【図７】
2020197092.tif 000009
【図８】
2020197092.tif 000010
【図９】
2020197092.tif 000011
【図１０】
2020197092.tif 000012
【図１１】
2020197092.tif 000013
【図１２】
2020197092.tif 000014
【図１３】
2020197092.tif 000015
【図１４】
2020197092.tif 000016
【図１５】
2020197092.tif 000017
【図１６】
2020197092.tif 000018
【図１７】
2020197092.tif 000019
【図１８】
2020197092.tif 000020
【図１９】
2020197092.tif 000021
【図２０】
2020197092.tif 000022
【図２１】
2020197092.tif 000023
【図２２】
2020197092.tif 000024
【図２３】
2020197092.tif 000025
【図２４】
2020197092.tif 000026
【図２５】
2020197092.tif 000027
【図２６】
2020197092.tif 000028
【図２７】
2020197092.tif 000029
【図２８】
2020197092.tif 000030
【図２９】
2020197092.tif 000031